(57)【要約】【課題】  数種類の錠剤や菓子等の収納物を選択的に取り出すことができる携帯ケースを提供する。【解決手段】  携帯ケース１は、ケース本体２の各区画５ａ，５ｂにそれぞれ異なる種類の錠剤或いは菓子等の収納物を収納する。蓋体１１は、ケース本体２の区画壁４と取り出し口１３とが直交するように、該ケース本体２に被着する。蓋体１１は、図示しない係合部の係合によりケース本体２から容易に外れないようになっている。凹凸部１６に指を掛けてスライド蓋１４を、例えば図２のようにスライド移動させると、取り出し口１３の区画５ｂに対応する部分が開いて、収納した錠剤或いは菓子等の収納物を取り出すことができる。【選択図】        図２
2005119709.tif 000002
【特許請求の範囲】
【請求項１】
内部を偶数個の区画に区分する区画壁を形成したケース本体と、該ケース本体に被着してその上面開口を覆う蓋体とからなり、
前記蓋体には取り出し口を穿設し、該蓋体の前記ケース本体に対する被着位置により、前記取り出し口を前記ケース本体の径方向で対向する一対の区画に対応させるとともに、前記蓋体の上面でスライドして、前記取り出し口の一対の区画の何れか一方に対応する部分を選択的に開くスライド蓋を設けたことを特徴とする携帯ケース。
【請求項２】
内部を複数個の区画に区分する区画壁を形成した平面視円形のケース本体と、該ケース本体に被着してその上面開口を覆う蓋体とからなり、
前記蓋体には取り出し口を穿設し、該蓋体と前記ケース本体を相対的に回動させて、前記取り出し口を前記ケース本体の複数の区画に順次対応させるとともに、前記蓋体の上面でスライドして、前記取り出し口と対応する部分の区画を開くスライド蓋を設けたことを特徴とする携帯ケース。
【請求項３】
前記スライド蓋の裏面には、前記取り出し口に嵌ってスライド移動を案内する案内突起を形成し、該案内突起の下面に板バネ部材を取り付けて、前記スライド蓋を蓋体の上面に弾接させる弾力を付与するとともに、スライド移動の際その板バネ部材の両端を前記取り出し口の裏面の口縁に摺擦するようにし、該摺擦する両者間に凹凸の関係で係合する係合部を形成して、前記スライド蓋を前記取り出し口の閉位置に保持するようにしたことを特徴とする請求項１又は請求項２に記載の携帯ケース。
【発明の詳細な説明】
【技術分野】
【０００１】
本発明は、数種類の錠剤や菓子等の収納物を選択的に取り出すことができる携帯ケースに関するものである。
【背景技術】
【０００２】
特開平１１−１６５７７５号公報には、所望数の錠剤が確実に取り出せる錠剤ケースが開示されている。この錠剤ケースは、ケース本体とケース本体内にスライド可能に装着されたスライド部材とで構成されている。そして、スライド部材の計量部に区画された各凹所に錠剤を落とし込み、計量部の取り出し口からの出没量を規制して凹所を所望の数だけ出没させるようにしたものである。
【０００３】
しかしながら、上記構成の錠剤ケースは、数種類の錠剤や菓子等の収納物を選択的に取り出すことができるものではない。
【特許文献１】特開平１１−１６５７７５
【発明の開示】
【発明が解決しようとする課題】
【０００４】
本発明は上記の問題を解決するためになされたもので、数種類の錠剤や菓子等の収納物を選択的に取り出すことができる携帯ケースを提供しようとするものである。
【課題を解決するための手段】
【０００５】
上記目的を達成するための請求項１に記載の携帯ケースは、内部を偶数個の区画に区分する区画壁を形成したケース本体と、該ケース本体に被着してその上面開口を覆う蓋体とからなり、前記蓋体には取り出し口を穿設し、該蓋体の前記ケース本体に対する被着位置により、前記取り出し口を前記ケース本体の径方向で対向する一対の区画に対応させるとともに、前記蓋体の上面でスライドして、前記取り出し口の一対の区画の何れか一方に対応する部分を選択的に開くスライド蓋を設けたことを特徴とする。
【０００６】
請求項２に記載の携帯ケースは、内部を複数個の区画に区分する区画壁を形成した平面視円形のケース本体と、該ケース本体に被着してその上面開口を覆う蓋体とからなり、前記蓋体には取り出し口を穿設し、該蓋体と前記ケース本体を相対的に回動させて、前記取り出し口を前記ケース本体の複数の区画に順次対応させるとともに、前記蓋体の上面でスライドして、前記取り出し口と対応する部分の区画を開くスライド蓋を設けたことを特徴とする。
【０００７】
また、請求項３に記載の携帯ケースは、請求項１又は請求項２に記載の構成において、前記スライド蓋の裏面には、前記取り出し口に嵌ってスライド移動を案内する案内突起を形成し、該案内突起の下面に板バネ部材を取り付けて、前記スライド蓋を蓋体の上面に弾接させる弾力を付与するとともに、スライド移動の際その板バネ部材の両端を前記取り出し口の裏面の口縁に摺擦するようにし、該摺擦する両者間に凹凸の関係で係合する係合部を形成して、前記スライド蓋を前記取り出し口の閉位置に保持するようにしたことを特徴とする。
【発明の効果】
【０００８】
請求項１に記載の携帯ケースによれば、蓋体のケース本体に対する被着位置により、蓋体に穿設した取り出し口をケース本体の径方向で対向する一対の区画に対応させ、前記蓋体の上面でスライド蓋をスライドして一対の区画の何れか一方に対応する取り出し口の部分を選択的に開くことにより、各区画毎に収納した異なる錠剤や菓子等の収納物を容易且つ確実に取り出すことができる。
【０００９】
請求項２に記載の携帯ケースによれば、平面視円形のケース本体に被着した蓋体とケース本体との相対的回動により、蓋体に穿設した取り出し口をケース本体の複数の区画に順次対応させて、蓋体の上面に設けたスライド蓋をスライドして、取り出し口と対応する区画を開く。各区画毎に収納した異なる錠剤や菓子等の収納物を容易且つ確実に取り出すことができる。蓋体とケース本体との相対的回動により、蓋体に穿設した取り出し口をケース本体の複数の区画に順次対応できるから、使い勝手のよい携帯ケースを提供できる。
【００１０】
また、請求項３に記載の携帯ケースによれば、スライド蓋の裏面に取り出し口に嵌ってスライド移動を案内する案内突起を形成し、該案内突起にスライド蓋を蓋体の上面に弾接させる弾力を付与する板バネ部材を取り付ける。そして、スライド移動の際その板バネ部材の両端を、取り出し口の裏面の口縁に摺擦するようにし、該摺擦する両者間に凹凸の関係で係合する係合部を形成して、スライド蓋を取り出し口の閉位置に保持する。スライド蓋のスライド移動が確実かつ軽快に行えるとともに、スライド蓋を取り出し口の閉位置に確実に保持できる。
【発明を実施するための最良の形態】
【００１１】
蓋体に穿設した取り出し口を、ケース本体内に形成した複数の区画の何れかに対応させ、前記蓋体の上面でスライド蓋をスライドして当該区画に対応する取り出し口を開くようにした。
【実施例１】
【００１２】
本発明の実施例１を図面に基づいて説明する。図１は携帯ケース１の斜視図、図２は同、一部切欠平面図、図３は蓋体の一部切欠裏面図、図４は要部の断面図である。携帯ケース１は、平面視正六角形のケース本体２と、これに被着する蓋体１１から構成される。ケース本体２及び蓋体１１は、何れも合成樹脂製の型成形品である。
【００１３】
ケース本体２は、平行に対向する側壁３，３間に区画壁４が一体成形されている。区画壁４により、ケース本体２の内部を略２等分した区画５ａ，５ｂが形成される。区画壁４の中央部上端には、後述するスライド蓋１４のスライド移動を許容する逃げ凹部６が形成されている。
【００１４】
蓋体１１には、平面視正六角形の対向する頂角１２，１２を結ぶ線上に取り出し口１３が穿設されている。この取り出し口１３を塞ぐスライド蓋１４が、取り出し口１３の長手方向の口縁に沿って形成した装着溝部１５にスライド移動可能に装着されている。このスライド蓋１４には、長手方向の両端部にスライド操作時に指を掛ける凹凸部１６が形成されている。蓋体１１の裏面には、取り出し口１３の長手方向の対向する口縁に沿って突条１７，１７が形成されている。この突条１７，１７の中央部には、係合凹所１８，１８が形成されている。
【００１５】
スライド蓋１４の裏面の中央部には、取り出し口１３に嵌ってスライド蓋１４のスライド移動を案内する案内突起１９が形成されている。案内突起１９の下面中央には、後述する板バネ部材２２を取り付けるための軸２０が突成されている。そして、この軸２０を挟んで回り止めストッパ２１，２１が平行に形成されている。合成樹脂製の板バネ部材２２は、中央部に軸挿通孔２３が穿設され、両端部上面に半球状の係合突部２４，２４が一体成形されている。
【００１６】
板バネ部材２２は、回り止めストッパ２１，２１間に装着するとともに、軸挿通孔２３に案内突起１９の軸２０を挿通し、熱溶融により軸２０の先端を潰すことにより、案内突起１９の下面に取り付けられる。スライド蓋１４が取り出し口１３を閉じる位置にある時には、板バネ部材２２の係合突部２４，２４が取り出し口１３の長手方向の対向する口縁に沿って形成された突条１７，１７の中央部の係合凹所１８，１８に係合する。スライド蓋１４のスライド操作時には、係合突部２４，２４が突条１７，１７に乗り上がって摺擦する。また、蓋体１１の外側壁には、携帯用の紐を通す紐通し穴２５を形成した突部２６が一体成形されている。この突部２６はケース本体２から蓋体１１を外すときの指掛け部となる。
【００１７】
上記構成の携帯ケース１は、ケース本体２の各区画５ａ，５ｂにそれぞれ異なる種類の錠剤或いは菓子等（以下収納物という）を収納する。図２に示すように蓋体１１は、ケース本体２の区画壁４と取り出し口１３とが直交するように、該ケース本体２に被着する。蓋体１１は、図示しない係合部の係合によりケース本体２から容易に外れないようになっている。凹凸部１６に指を掛けてスライド蓋１４を、例えば図２のようにスライド移動させると、取り出し口１３の区画５ｂに対応する部分が開いて、収納物を取り出すことができる。
【００１８】
スライド蓋１４のスライド移動時には、板バネ部材２２の両端の係合突部２４，２４が取り出し口１３の口縁に沿って形成された突条１７，１７に乗り上がって摺擦する。これにより板バネ部材２２が湾曲し、スライド蓋１４を蓋体１１の上面に形成した装着溝部１５内に弾接させる弾力を付与し、この弾力の作用により、スライド蓋１４が装着溝部１５から浮き上がることなく、円滑にスライド移動することができる。また、スライド蓋１４を戻して取り出し口１３を閉じると、係合突部２４，２４が突条１７，１７の中央部の係合凹所１８，１８に係合するクリック感を感得できる。そして、スライド蓋１４を取り出し口１３の閉位置に保持できる。
【００１９】
また、スライド蓋１４は、蓋体１３の上面に形成した装着溝部１５に装着するものであるから、蓋体１３の上面とスライド蓋１４の上面とを面一にすることができる。これにより、装飾用や収納物を示すラベル等を、凹凸が生じることがなく貼付することができる。
【実施例２】
【００２０】
実施例２の携帯ケース３１は、図５に示すようにケース本体３２及び蓋体３３の平面視形状を円形にしたものである。ケース本体３２は、内部を中心で直交する区画壁３４ａ，３４ｂにより、４個の区画３５ａ〜３５ｄに等分したものである。蓋体３３に形成するスライド蓋３６等の構造は、実施例１のスライド蓋１４等の構造と略同一でよいから詳細な説明は省略する。
【００２１】
携帯ケース３１は、スライド蓋３６のスライド移動により、取り出し口３７の径方向で対向する一対の区画３５ａと３５ｃ若しくは３５ｂと３５ｄの何れかに対応する部分を開くものである。従って、区画壁３４ａと取り出し口３７との位相差が４５度となるように、蓋体３３をケース本体３２に被着して、スライド蓋３６をスライド移動することにより、区画３５ａと３５ｃから選択的に収納物を取り出すことができる。そして、ケース本体３２に蓋体３３を被着したまま９０度回動させることにより、区画３５ｂと３５ｄから選択的に収納物を取り出すことができる。
【００２２】
上記携帯ケース３１では、最大４種類の異なった収納物を選択的に取り出すことができる。蓋体３３のケース本体３２に対する被着位置或いは９０度の回動位置は、目印により目視できるようにしたり、凹凸部の係合によるクリック感により感得できるようにする。
【００２３】
尚、実施例１の携帯ケース１、実施例２の携帯ケース３１の他に、平面視形状が正方形や正多角形の携帯ケースとすることもでき、区画数も４個に限定されるものではない。
【実施例３】
【００２４】
図６は実施例３に係る携帯ケース４１の平面図である。図６に示すようにケース本体４２に蓋体４３を被着したとき、両者が相対回動可能となるように平面視形状を円形にしたものである。ケース本体４２は、内部を中心で直交する区画壁４４ａ，４４ｂにより、４個の区画４５ａ〜４５ｄに等分したものである。蓋体４３には、外周部内側に略四角形の取り出し口４６が形成されている。該取り出し口４６を塞ぐスライド蓋４７は、蓋体４３の上面に設けた装着溝部４８にスライド移動可能に装着されている。
【００２５】
このスライド蓋４７は、スライド操作して取り出し口４６を開閉したとき、図示しないストッパに当接することにより、両端部４７ａ，４７ｂが蓋体４３の上面からはみ出さないように形成されている。
尚、スライド蓋４７を取り出し口４６の閉位置に保持する構造は、実施例１のスライド蓋１４等の構造と略同一でよいから詳細な説明は省略する。
【００２６】
上記した構成の携帯ケース４１は、平面視円形のケース本体４２に被着した蓋体４３とケース本体４２との９０度毎の相対的回動により、蓋体４３に穿設した取り出し口４６をケース本体４２の４個の区画４５ａ〜４５ｄに順次対応させて、蓋体４３の上面に設けたスライド蓋４７をスライドして、取り出し口４６と対応する区画４５ａ〜４５ｄの何れかを開く。各区画毎４５ａ〜４５ｄに収納した異なる錠剤や菓子等の収納物を容易且つ確実に取り出すことができる。ケース本体４２と蓋体４３の相対的回動により、取り出し口４６を区画４５ａ〜４５ｄに順次対応できるから、使い勝手のよい携帯ケースを提供できる。
尚、蓋体４３とケース本体４２間の９０度毎の回動位置は、目印により目視できるようにしたり、凹凸部の係合によるクリック感により感得できるようにする。
尚、実施例１、実施例２の場合と同様、区画数は４個に限定されるものではない。
【図面の簡単な説明】
【００２７】
【図１】実施例１に係る携帯ケースの斜視図である。
【図２】同、一部切欠平面図である。
【図３】蓋体の一部切欠裏面図である。
【図４】要部の断面図である。
【図５】実施例２に係る携帯ケースの平面図である。
【図６】実施例３に係る携帯ケースの平面図である。
【符号の説明】
【００２８】
１、３１、４１...携帯ケース
２、３２、４２...ケース本体
３...フランジ
４、３４ａ，３４ｂ、４４ａ，４４ｂ...区画壁
５ａ，５ｂ、３５ａ〜３５ｄ、４５ａ〜４５ｄ...区画
１１、３３、４３...蓋体
１３、３７、４６...取り出し口
１４、３６、４７...スライド蓋
１５、４８...装着溝部
１８...係合凹所
１９...係合突起
２２...板バネ部材
２４...係合突部  
【図１】
2005119709.tif 000003
【図２】
2005119709.tif 000004
【図３】
2005119709.tif 000005
【図４】
2005119709.tif 000006
【図５】
2005119709.tif 000007
【図６】
2005119709.tif 000008